(57)【特許請求の範囲】
【請求項１】
お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯であって、該略三角形状のあそび部分の頂部を一方のダーツ側に倒し、該略三角形状を含む面状部が前記両ダーツの一部を覆う状態で留めるとともに、前記頂部を基点として折り返された二つ折りの帯で前記お太鼓の背面側幅方向から若干傾斜させた方向に向けて胴巻き部を形成し、該胴巻き部の上部が二つ折り山部で形成され、該二つ折り山部が折り返されて二重に重なるようにし、簡便に着用できるように形成したことを特徴とする迅速造り帯。  
【請求項２】
袋帯で、胴巻き部の絵柄に上下がある場合において、お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯であって、該略三角形状のあそび部分の頂部近傍を帯幅方向に沿って二つ折り部を形成し、該二つ折り部の一方の端部側をダーツ部の裏側に折って宛がい、前記二つ折り部の他方の端部を両ダーツの一部を覆うように折って宛がった状態で留め、該胴巻き部の下部が二つ折り山部で形成され、帯の胴巻き部の絵柄が上下正しい位置に配置され、該二つ折り山部が折り返されて二重に重なるように形成したことを特徴とする迅速造り帯。
【請求項３】
名古屋帯で、胴巻き部の絵柄に上下がある場合において、胴巻き部上部の縫合部を所定の長さだけほどき、お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯であって、該略三角形状のあそび部分の頂部近傍における上記胴巻き部上部縫合部をほどいた部分の帯幅方向に沿って二つ折り部を形成し、該二つ折り部の一方の端部側をダーツ部の裏側に折って宛がい、前記二つ折り部の他方の端部を上記胴巻き部上部縫合部をほどいた部位の内側に挟み込んだ状態で両ダーツの一部を覆うように折って宛がった状態で留め、該胴巻き部の下部が二つ折り山部で形成され、帯の胴巻き部の絵柄が上下正しい位置に配置され、名古屋帯の胴巻き部の二つ折り山部が折り返されて二重に重なるように形成したことを特徴とする迅速造り帯。
【請求項４】
上記袋帯の二重太鼓において、お太鼓の内側の帯のたるみを解消するために該お太鼓の背面部帯幅の左右端部にダーツを設け、該ダーツをそれぞれ縫合したことを特徴とする請求項２記載の迅速造り帯。
【発明の詳細な説明】
【技術分野】
【０００１】
本発明は女性用の着物に着用する迅速造り帯に関し、帯結びの技量や熟練者の手助けを必要とせず、また高価な帯を切断すること無しに折り、縫合するだけでお太鼓を造り付け迅速且つ確実に、しっかりとした帯結びが可能となり、反復使用が可能である迅速造り帯に関する。
【背景技術】
【０００２】
従来、女性が和服を着用するとき附帯する帯は日本の歴史において長く使用されて来た。しかし近年、洋服の普及と共に和服を着用する人口、機会共に減少しつつある。和服の場合、特に帯は洋服に比べ着用に手間を要し、また一本の長い布である帯を体に巻き、飾り結びを結ぶことを一人で行うには技術が要り、鍛錬を要し、実際は専門技術を持つ者に着付けをしてもらう場合が多い。以上の理由で和服は敬遠されてきた。しかしながら和服を正装とする場面も多く、華道、茶道、日本舞踊等、伝統文化には欠かせない。また近来見た目の優雅さからリサイクル業界の台頭もあり着物業界の活性化がみられ愛好家が増えてきており、和服の需要は未だ多い。
そこで近年、比較的簡単にお太鼓、文庫等の帯の飾り結びが出来る様、一本の帯を体に巻く部分と飾り結び部分に切り分け、体に巻きつける部分を附帯後、飾り結びを取り付ける、また飾り結びが簡単に出来る帯等、様々な考案、発明がなされてきた。
【特許文献１】特開２０００−３２８３３４号公報（詳細な説明、図）
【特許文献２】特開平１０−１１０３１５号公報（詳細な説明、図）
【０００３】
しかしながらこれらの考案、発明では従来の帯を切らずに加工することは不可能であった。そこで従来の袋帯や名古屋帯でも切らずに折り、縫合するだけで簡単に装着可能な帯も考案されている。
【特許文献３】登録実用新案１５３０１３６号号公報（考案の詳細な説明）
【特許文献４】特開２０００-３２８３３５号公報（詳細な説明、図）
【発明の開示】
【発明が解決しようとする課題】
【０００４】
しかしながら上記特許文献３の考案では２つに折り曲げた帯が胴周りに巻いたときに該帯の幅方向の上部が４枚重ねとなり、帯の間に小物を差し込む場合、それぞれの帯片は腰がないために扇等の小物が入れ難い。また、帯片同士で形成される差込箇所は３箇所となり、どこに物を入れたか分からなくなる恐れがあった。また、背の高い女性の場合、帯の幅を広げ着付けるのが一般的であり、その場合、帯幅方向上端二枚重が上向きに突出しているために、しっかりと着付けられないという欠点があった。また、帯地の重ね縫いが多用され労力が過重であった。
【０００５】
本発明の迅速造り帯はお太鼓と胴部がつながっているものであって、胴部は２つに折り曲げた帯が胴周りに巻いたときに該帯の幅方向の折り曲げた山の部分同士が重なるようにし、幅方向に２つ折りした帯が胴周りに巻いたときに該帯の幅方向の上部が４枚重ねとなった場合の不都合、例えば小物が入れにくい、帯の幅を広げ着付けるときにしっかりと着付けられない等の問題点を解決するためになされたものである。
【課題を解決するための手段】
【０００６】
本発明に係る迅速造り帯は、お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯であって、該略三角形状のあそび部分の頂部を一方のダーツ側に倒し、該略三角形状を含む面状部が前記両ダーツの一部を覆う状態で留めるとともに、前記頂部を基点として折り返された二つ折りの帯で前記お太鼓の背面側幅方向から若干傾斜させた方向に向けて胴巻き部を形成し、該胴巻き部の上部が二つ折り山部で形成され、該二つ折り山部が折り返されて二重に重なるように形成したものである。
【０００７】
本発明に係る迅速造り帯は、袋帯で、胴巻き部の絵柄に上下がある場合において、お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯であって、該略三角形状のあそび部分の頂部近傍を帯幅方向に沿って二つ折り部を形成し、該二つ折り部の一方の端部側をダーツ部の裏側に折って宛がい、前記二つ折り部の他方の端部を両ダーツの一部を覆うように折って宛がった状態で留め、該胴巻き部の下部が二つ折り山部で形成され、帯の胴巻き部の絵柄が上下正しい位置に配置され、該二つ折り山部が折り返されて二重に重なるように形成したものである。
【０００８】
本発明に係る迅速造り帯は、名古屋帯で、胴巻き部の絵柄に上下がある場合において、胴巻き部上部の縫合部を所定の長さだけほどき、お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯であって、該略三角形状のあそび部分の頂部近傍における上記胴巻き部上部縫合部をほどいた部分の帯幅方向に沿って二つ折り部を形成し、該二つ折り部の一方の端部側をダーツ部の裏側に折って宛がい、前記二つ折り部の他方の端部を上記胴巻き部上部縫合部をほどいた部位の内側に挟み込んだ状態で両ダーツの一部を覆うように折って宛がった状態で留め、該胴巻き部の下部が二つ折り山部で形成され、帯の胴巻き部の絵柄が上下正しい位置に配置され、名古屋帯の胴巻き部の二つ折り山部が折り返されて二重に重なるように形成したものである。
【００１１】
上記袋帯の二重太鼓において、お太鼓の内側の帯のたるみを解消するために該お太鼓の背面部帯幅の左右端部にダーツを設け、該ダーツをそれぞれ縫合したことを特徴とする。
【発明の効果】
【００１２】
お太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該両ダーツと該ダーツの狭くなる側の下方部位の中央部で形成される略三角形状のあそび部分を設けてなる迅速造り帯としたので、お太鼓を形よくすることが可能になるばかりではなく、両ダーツと該ダーツの狭くなる側の下方部位の中央部との間に略三角形状のあそびができ、半折部を方向自在に折ることができる。それゆえ折り方により、半折部の折山の部分を上に持ってくることも下に持ってくることも可能になる。
【００１３】
半折部の折り山が上部に来ると、帯の前面の上部が輪になり丈夫なためしっかりと巻くことが出来、半折部の幅を広くすることが可能となる。従来の半折部の折り山が下部に来る着付け方では半折部の帯幅を広げると該半折部の最前面と最後面の二枚が長く、その中間に位置する二枚が短くなり、上端が弱く半折部の帯幅を広くして着付けるには難題があった。本発明では、背の高い女性でも、身長に合わせて帯幅を広く取ることが可能となり、一人でも帯を美しく迅速に着用することが出来る。
【００１４】
また、従来は半折部の折山部分が下に来ていたため、胴に巻いた状態で前面部は４枚で構成されるため、帯片同士の重なりによって形成される隙間が３箇所できることとなり、物を差し入れるときにどこに差し入れたか分からないことがあった。しかし本発明では二つ折りした山部同士の重なりによって形成される隙間が１箇所部となる上に帯片に腰がありしっかりとしているために、小物を差し込みやすく、取り出しも容易で、また物を見つけ易い。
【００１５】
本発明では図７の様にお太鼓を構成する背面側の帯部表面幅方向の中間部位左右対称位置に、半折胴巻き導入部側に向けて次第に狭くなるように直線的に傾斜したダーツを形成し、該傾斜したダーツのそれぞれを内側に倒した状態で留め、該ダーツの一部を半折部で隠す様に折るため、帯の完成後は該折り部が二重構造となる。そのため、厚みの分がふっくらとし、お太鼓の形が良くなる。さらに該部位はお太鼓の形を良くする為に補正タオルを入れるポケットとして利用することができる。本発明ではポケットとなる部分が二重構造となり、ダーツ部も隠れるために見栄えも良く、補正タオルなどを入れ、ふっくらと美しいお太鼓に仕上がり、多様なお太鼓の表情を楽しむことが可能となる。
【００１６】
本発明では上記ダーツを一枚の布で処理することが出来、ダーツによって形成される半折導入部の間のたるみ（以下あそびとする）を折ることによって胴巻き部を形成するため、下の布地を共に縫いとめる必要はなく、布地の厚みにより縫合する際の苦労が大幅に軽減される。
【００１９】
上記袋帯の二重太鼓において、お太鼓の内側の帯のたるみを解消するために該お太鼓の背面部帯幅の左右端部にダーツを設け、該ダーツをそれぞれ縫合したので、お太鼓の背面側に位置する帯部分のたるみを解消することができ、外観から見てもきれいな仕上がりとなる。
【発明を実施するための最良の形態】
【００２０】
以下本発明を実施例について述べる。
【実施例】
【００２１】
実施例１
袋帯について、本発明を二重太鼓の迅速造り帯に適応した実施例について述べる。袋帯とは、現在礼装正装用の帯として最も多く用いられている帯で、表の部分にのみ模様があり、一般に芯を入れずに仕立てられている、幅約３０ｃｍ、長さ約４ｍの帯であり、符号１で示す。帯１は、たれ２ａと、お太鼓の背面部２と、二重太鼓の添片部３と、折込立ち上り部４ａ、４ｂと、二重太鼓の表面部５と、お太鼓の背面半折導入部６と、半折胴巻き導入部７と、胴巻き部８と、該胴巻き部８の途中から折り返される胴巻き部裏側９と、手１０とからなる一枚の連続した帯(図１及び図１２参照)である。
【００２２】
図１は折部を示した帯の展開図である。帯１を図２〜図６に示す手順で折り、お太鼓の基部を作成する。図２に示す様に、下面の折山線ａ２でお太鼓の背面部２と二重太鼓内側部３を例えば絵柄のある表側同士が内側で合わさる様に折る。次に図３に示す様に、二重太鼓の表面部５と二重太鼓内側部３の裏同士を合わせ、立ち上りを造るお太鼓の決め線ａ４を形成する。次に図４に示す様に折込立ち上り部４ａ、４ｂを合わせ折り返し部ａ３、合わせ折り曲げ部ａ５で背面部２と二重太鼓内側部３の間に折り込む。さらに帯山線ａ６で折り、背面部２の方向に重ねる。表面部５は全体のバランス、柄に合わせて折込立ち上り部４ａ、４ｂの長さで調節する。こうしてお太鼓の基部を完成させる。二重太鼓の表面部５のお太鼓をととのえ、お太鼓の背面半折導入部６と、半折胴巻き導入部７を表にして作業するため、図６に示す様にお太鼓を裏返す。半折胴巻き導入部７は帯１の帯の輪を表す折目ａ１０を介して帯１の長手方向にわたって２つ折り可能に連接された半帯部で、胴巻き部８の導入部となる。半折胴巻き導入部７は胴表Ｍの帯幅が胴裏Ｎの帯幅より広くなる様に折線ａ１０で折る。
【００２３】
次に、本発明の重要な解決手段について説明する。図７、図８に示す様に背面部２と折込立ち上り部４ａ、４ｂをｎ１の位置で留める。背面半折導入部６には背面部に左右対称に、半折胴巻き導入部側に向けて次第に狭くなるように直線的に傾斜したダーツｄ１を作成する。該背面部に左右対称に設けたダーツｄ１は長さ約１５ｃｍ、縫合部ｎ２において幅約１．５ｃｍであり、帯山より約１７ｃｍ、帯幅端部より約９ｃ
ｍの位置で約３ｃｍつまんで内側に向かって左右対称に折り、縫合部ｎ２で留める。背面部に左右対称に設けたダーツｄ１により二重太鼓の表面部５に山状の帯山ができ、きれいに仕上げることができる。
背面部に左右対称に設けたダーツｄ１をとることにより、図８に示す様にお太鼓の背面半折導入部６と半折胴巻き導入部７の間に略三角形状の隆起Ｇ（以下あそびとする）ができる。そのため、あそびの頂部Ａを持ち上げ、胴部を自在に左右いずれかの方向に向けて折り曲げることが可能になる。図９は胴部の裏を示す。背面半折導入部６のあそびの頂部Ａをつまみ持ち上げ、背面部に左右対称に設けたダーツｄ１の下方位置の帯部分を折り返し、左右から内側に合わせるように略三角形状にあそびＧ部に生じる背面構成折目ａ８で折り畳み合わせる。折目ａ９で頂部Ａを整え、半折胴巻き導入部７を折目ａ９で、図１１に示すように半折胴巻き導入部７がたれ境界部ａ１より３ｃｍ程度上になるように若干斜め上方向に左右何れかの方向に倒す。斜め上方に倒すことで胴巻き部は体へ密着し、お太鼓がバランスの良い位置に来る。半折胴巻き導入部７はお太鼓の背面半折導入部６に固定するため、ダーツを介して半折り部と背面部を縫合する縫合部ｎ３で半折胴巻き導入部７と背面部に左右対称に設けたダーツｄ１、背面半折導入部６と背面部２を、半折り部と背面部を縫合する縫合部ｎ４で半折胴巻き導入部７と背面半折導入部６と背面部２を縫合する。
【００２４】
図１２は帯の手の位置を示す展開図である。半折胴巻き導入部７、胴巻き部８、該胴巻き部８の途中から折り返される胴巻き部裏側９、手１０は胴巻き部の外側となる部位である。帯の輪を表す折目ａ１０で帯幅方向に対し略直角に折り曲げる。図１３に示すように上記半折胴巻き導入部７、胴巻き部８、胴巻き部裏側９を半折胴巻き導入部内側７ａ、胴巻き部内側８ａ、胴巻き部裏側９ａが内側になるように、帯の輪を表す折目ａ１０で折る。袋帯の場合、一般的に胴表Ｍの幅が胴裏Ｎより広くなる様に折る。１０は手で、長さは例えば約３９ｃｍとする。
【００２５】
図１４、図１５に示すａ１４は胴巻き部の折線上端に設けた縫合部である。折線ａ１３で半折部を上記とは反対に上記半折胴巻き導入部７、胴巻き部８、胴巻き部裏側９を半折部内側(図示せず)、胴巻き部内側(図示せず)、胴巻き部裏側内側(図示せず)、手の内側(図示せず)が表向きになる様に図１５に示すように一旦折り返し、胴巻き部の折線上端に設けた縫合部ａ１４を胴巻き部８、胴巻き部内側(図示せず)、胴巻き部裏側９、胴巻き部裏側内側(図示せず)と４枚重ねて縫う。その後、元の様に半折胴巻き導入部７、胴巻き部８、胴巻き部裏側９を半折胴巻き導入部内側(図示せず)、胴巻き部内側(図示せず)、胴巻き部裏側内側(図示せず)が内側になるように、胴巻き部の折線ａ１３で折る。更に図１５に示すように、胴巻き部８の端部、折線ａ１３の下端位置に胴部先端ひも８ｂを縫い付ける。ｎ９は胴部先端ひも縫合部である。胴巻き部裏側９の表面、また図１６に示すように、手をお太鼓内に折り込む折線ａ１５近傍の下端位置にお太鼓背面下部ひも８ｃをお太鼓背面下部ひも縫合部ｎ１０で縫い付ける。ひもの長さは、例えば胴部先端ひも８ｂは着用者の胴回りの長さの半分プラス１５ｃｍ、お太鼓背面下部ひも８ｃは着用者の胴回りの長さの半分とする。
【００２６】
図１６に示すように上記胴巻き部裏側９は上記半折胴巻き導入部７に胴巻き部と背面部を縫合する縫合部ｎ７で縫合固定する。また帯板の落下を防ぐため、前記胴巻き部裏側９と上記胴巻き部８の重なった前後の布を縫合部ｎ８の位置にて目立たないように留める。手１０を帯幅に対して垂直にすると、胴巻き部８，胴巻き部裏側９は斜めになっているためたるみがでる。このたるみを解消するため、胴巻き部裏側９に補正用ダーツｎ５を設け、半折胴巻き導入部(図示せず)に縫合する。また胴巻き部８と胴巻き部裏側９の長さは同じであり、胴に巻きつけるときに内外周に差があるために、たるみが出る。このたるみを補正するために胴巻き部裏側９に端部修正ダーツｎ６を設け、半折胴巻き導入部(図示せず)に縫合する。補正用ダーツｎ５の縫合部、端部修正ダーツｎ６の縫合部、胴巻き部と背面部を縫合する縫合部ｎ７で背面部に左右対称に設けたダーツｄ１の下部はポケット状になり、ここに帯補正用のタオルなどを入れることが可能となる。
【００２７】
図１７に示すように手１０はお太鼓の中、二重太鼓内側部３と折込立ち上り部４ａの間に通し、帯幅に対して直角に挿入する。
図１８に示す様に手１０の両端はお太鼓１１からはみ出した状態にする。はみ出し部Ｌの長さは例えば３ｃｍとする。
【００２８】
本発明の迅速造り帯の一実施例は以上の構成からなり、帯を着用するのには、例えば以下の様にして着付ける。
帯枕、帯揚げをお太鼓１１の中に入れ、帯枕、帯揚げの中央部をお太鼓１１の中央部に置く。被着者はお太鼓１１の帯山線ａ６をしっかりにぎり、背中中央部に宛がい、帯枕の紐を結ぶ。帯揚げは仮り結びにする。胴巻き部８を被着者の腰の上部にまわし、胴巻き部の折り線ａ１３をお太鼓１１と被着者の背中の間にくぐらせる。胴部先端ひも８ｂとお太鼓背面下部ひも８ｃを被着者の腹部中央で結び、結び目を胴巻き部８の下部に隠しおさめる。
【００２９】
また、背面部帯幅左端に設けたダーツａ１１、背面部帯幅右端に設けたダーツａ１２をそれぞれ縫合する。該背面部帯幅左端に設けたダーツａ１１、背面部帯幅右端に設けたダーツａ１２により、背面部に左右対称に設けたダーツｄ１によって帯山線が山状を成すがゆえに二重太鼓内側部３と背面部２の両方又はいずれか一方に生じるたるみを無くすことができ、外観上、きれいに仕上げることができる。
【００３０】
実施例２
名古屋帯で、一重太鼓について本発明を適用した実施例について述べる。名古屋帯とは、芯を入れ、たれの部分は普通の帯幅で、半折部を半幅に折り仕立てた、幅約３０ｃｍ、長さ約３ｍ４０ｃｍの帯をさす。
図１９は折部を示した名古屋帯の展開図である。前記した袋帯と異なる点は、一重太鼓であるために、背面部２と二重太鼓内側部３がない点である。したがって、帯１は、たれ先端部２ａと、折込立ち上り部４ａ、４ｂと、一重太鼓の表面部５ａと、端部が略三角形状に折られたお太鼓の背面半折導入部６ａと、該背面半折導入部６ａに対し略９０度の方向に折られ、且つ記号Ｔで示す縫合部を有する半折胴巻き導入部７ｂと、胴巻き部８と、該胴巻き部８の途中から折り返される胴巻き部裏側９と、手１０とからなる一枚の連続した帯(図１９〜図２２参照)である。
【００３１】
図２１において、Ｓは二つ折り山部、Ｔは縫合部である。図２１に示すように背面半折導入部６ａ、背面半折導入部裏側６ｂ、半折胴巻き導入部７ｂにおいて、縫合部Ｔのｒ１からｒ２までの部分、約３０ｃｍ程縫合を解く。図２２に示すように、背面半折導入部６ａには背面部に左右対称に設けたダーツｄ１を作成する。該背面部に左右対称に設けたダーツｄ１はつまんで左右対称に内側に向かって折り、実施例１と同様に縫い留める。実施例１同様、背面部に左右対称に設けたダーツｄ１をとることにより、図２２に示す様に背面半折導入部６ａと半折胴巻き導入部７ｂの間にあそびができる。図２３に示すように、実施例１と同様にあそびの頂部Ａをつまみ持ち上げ、背面部に左右対称に設けたダーツｄ１の下方位置の帯部分を折り返し、左右から内側に合わせるように略三角形状に折り畳み合わせる。あそびの頂部Ａを整え、半折胴巻き導入部７ｂを図２４に示すように半折胴巻き導入部７ｂがたれ境界部ａ１より３ｃｍ程度上になるように若干斜め上方向に左右何れかの方向に倒す。斜め上方に倒すことで胴巻き部は体へ密着し、お太鼓がバランスの良い位置に来る。半折胴巻き導入部７ｂは背面半折導入部６ａに固定するため、ｎ３でダーツと半折胴巻き導入部７ｂ、背面半折導入部６ａに、ｎ４で半折胴巻き導入部７ｂと背面半折導入部６ａに縫合する。
続いて実施例１と同様に、半折胴巻き導入部７ｂを折り、縫合し、仕上げる。
【００３２】
実施例３
袋帯について帯の胴部に上下非対称の模様が左右両側にある場合について、本発明を二重太鼓に適用した実施例について述べる。
実施例１と同様にお太鼓の基部を形成し、図２５に示すように６に背面部に左右対称に設けたダーツｄ１を形成する。図２６に示すように帯幅方向の直線ＶＷで山折りする。二つ折り山部の線と直線ＶＷの交点をＱとする。Ｖ、Ｑ、Ｗを持ち上げると自然にお太鼓の背面半折導入部６の面で三角形状態が形成される。ＶをＹの方からお太鼓の背面半折導入部６の背面部に左右対称に設けたダーツｄ１の下にくぐらせ、Ｗを上から背面部に左右対称に設けたダーツｄ１へ被せるように折る。もしくは柄によってＷをＸの下にくぐらせ、Ｖを上から背面部に左右対称に設けたダーツｄ１に被せるように折る。
【００３３】
図２７の様にＶ、Ｗを重ね合わせ、ダーツを介して半折部と背面部を縫合する縫合部ｎ３、半折部と背面部を縫合する縫合部ｎ４で背面半折導入部６に縫合する。続いて実施例１と同様に、半折胴巻き導入部７を折り、縫合し、図２８の様に仕上げる。
【００３４】
実施例４
名古屋帯において、帯の胴部に上下非対称の模様が左右両側にある場合について、本発明を一重太鼓に適用した実施例について述べる。
実施例２と同様に、お太鼓の基部を形成し、図２９に示すようにお太鼓の背面半折導入部６ａに背面部に左右対称に設けた背面部に左右対称に設けたダーツｄ１を形成する。実施例２と同様に縫合部Ｔを縫い止まりから２０〜３０ｃｍ程ほどく。図３０に示すように帯幅方向の直線ＶＷで山折りする。二つ折り山部の線Ｓと直線ＶＷの交点をＱとする。Ｖ、Ｑ、Ｗを持ち上げると自然に背面半折導入部６ａの面で三角形状態が形成される。図３１のようにＶをＹの方から背面半折導入部６ａのダーツｄ１の下にくぐらせ、Ｗを上から背面部に左右対称に設けたダーツｄ１被せるように折る。もしくはＷをＸの下にくぐらせ、Ｖを上から背面部に左右対称に設けたダーツｄ１に被せるように折る。
【００３５】
図３２の様に上記縫合部Ｔの解いた部分に６ａを挟み、Ｖ、Ｗを重ね合わせダーツを介して半折部と背面部を縫合する縫合部ｎ３、半折部と背面部を縫合する縫合部ｎ４で背面半折導入部６ａに縫合する。続いて実施例１と同様に、半折胴巻き導入部７ｂを折り、縫合し、仕上げる。
【００３６】
実施例５
名古屋帯において、帯の胴部に上下非対称の模様が左側にある場合について、本発明を一重太鼓に適用した実施例について述べる。実施例２と同様に、お太鼓の基部を形成し、図３３に示すように背面半折導入部６ａに背面部に左右対称に設けたダーツｄ１を形成する。実施例２と同様に縫合部Ｔを縫い止まりから２０〜３０ｃｍ程ほどく。図３３に示すように帯幅方向の直線ＶＷで山折りする。二つ折り山部の線Ｓと直線ＶＷの交点をＱとする。Ｖ、Ｑ、Ｗを持ち上げると自然に背面半折導入部６ａの面で三角形状態が形成される。絵柄Ｋが左側にある場合は実施例４の図３１と同様にＶをＹの方から背面半折導入部６ａの背面部に左右対称に設けたダーツｄ１の下にくぐらせ、Ｗを上から背面部に左右対称に設けたダーツｄ１を被せるように折る。
【００３７】
図３４の様に上記縫合部Ｔの解いた部分に６ａを挟み、Ｖ、Ｗを重ね合わせダーツを介して半折部と背面部を縫合する縫合部ｎ３、半折部と背面部を縫合する縫合部ｎ４で背面半折導入部６ａに縫合する。続いて実施例１と同様に、半折胴巻き導入部７ｂを折り、縫合し、仕上げる。
【００３８】
名古屋帯において、帯の胴部に上下非対称の模様が右側にある場合について、本発明を一重太鼓に適用した実施例について述べる。
実施例２と同様に、お太鼓の基部を形成し、図３３に示すように６に背面部に左右対称に設けたダーツｄ１を形成する。実施例２と同様に縫合部Ｔを縫い止まりから２０〜３０ｃｍ程ほどく。実施例４と同様に帯幅方向の直線ＶＷで山折りする。二つ折り山部の線Ｓと直線ＶＷの交点をＱとする。Ｖ、Ｑ、Ｗを持ち上げると自然に背面半折導入部６ａの面で三角形状態が形成される。図３５の様に左側に絵柄Ｋが右側にある場合は実施例４の図３４とは逆にＷをＸの方から背面半折導入部６ａの背面部に左右対称に設けたダーツｄ１の下にくぐらせ、Ｖを上から背面部に左右対称に設けたダーツｄ１を被せるように折る。
【００３９】
図３６に示す様に、上記縫合部Ｔの解いた部分に６ａを挟み、Ｖ、Ｗを重ね合わせダーツを介して半折部と背面部を縫合する縫合部ｎ３、半折部と背面部を縫合する縫合部ｎ４で背面半折導入部６ａに縫合する。続いて実施例１と同様に、半折胴巻き導入部７ｂを折り、縫合し、仕上げる。
【００４０】
袋帯において、帯の胴部に上下非対称の模様が左右何れかの側にあるということは殆どないが、そのような場合は上記名古屋帯の一重太鼓と同様にして二重太鼓について、本発明を適用する。
実施例１と同様にお太鼓の基部を形成し、図２５と同様に６に背面部に左右対称に設けたダーツｄ１を形成する。図２６と同様に帯幅方向の直線ＶＷで山折りする。二つ折り山部の線と直線ＶＷの交点をＱとする。Ｖ、Ｑ、Ｗを持ち上げると自然にお太鼓の背面半折導入部６の面で三角形状態が形成される。絵柄が左側にある場合は、図３０と同様にＶをＹの方からお太鼓の背面半折導入部６の背面部に左右対称に設けたダーツｄ１の下にくぐらせ、Ｗを上から背面部に左右対称に設けたダーツｄ１へ被せるように折る。絵柄が右側にある場合は逆にＷをＸの下にくぐらせ、Ｖを上から背面部に左右対称に設けたダーツｄ１に被せるように折る。
【００４１】
図２７と同様にＶ、Ｗを重ね合わせ、図３７の様にダーツを介して半折部と背面部を縫合する縫合部ｎ３、半折部と背面部を縫合する縫合部ｎ４でお太鼓の背面半折導入部６に縫合する。続いて実施例１と同様に、半折胴巻き導入部７を折り、縫合し、図２８の様に仕上げる。
【図面の簡単な説明】
【００４２】
【図１】本発明の一例を示す袋帯本体と折線を示す展開図である。
【図２】本発明の一例を示す袋帯にて二重太鼓を折る過程を示す斜視図である。
【図３】本発明の一例を示す袋帯にて二重太鼓を折る過程を示す斜視図である。
【図４】本発明の一例を示す袋帯にて二重太鼓を折る過程を示す斜視図である。
【図５】本発明の一例を示す袋帯にて二重太鼓を折る過程を示す斜視図である。
【図６】本発明の一例を示す袋帯にて作成した二重太鼓の基部の裏面の斜視図である。
【図７】本発明の一例を示す袋帯にて作成した二重太鼓の基部の裏面のダーツと折線を示す斜視図である。
【図８】本発明の一例を示す袋帯にて作成した二重太鼓の基部の裏面のダーツとあそびを示す斜視図である。
【図９】本発明の一例を示す袋帯にて作成した二重太鼓の基部の裏面において略三角形状を含む面状部がダーツを覆う過程と折線を示す斜視図である。
【図１０】本発明の一例を示す袋帯にて作成した二重太鼓の基部の裏面において略三角形状を含む面状部がダーツを覆う過程を示す斜視図である。
【図１１】本発明の一例を示す袋帯にて作成した二重太鼓の基部の裏面において略三角形状を含む面状部がダーツを覆う過程を示す斜視図である。
【図１２】本発明の一例を示す袋帯本体と折線を示す展開図である。
【図１３】本発明の一例を示す袋帯にて作成した二重太鼓の基部の裏面において胴巻き部を折る過程を示す斜視図である。
【図１４】本発明の一例を示す袋帯にて作成した二重太鼓の基部の裏面において胴巻き部上の縫合部と手の位置を示す斜視図である。
【図１５】本発明の一例を示す袋帯にて作成した二重太鼓の基部の裏面において胴巻き部上の縫合部の作成過程とひもを付する位置を示す斜視図である。
【図１６】本発明の一例を示す袋帯にて作成した二重太鼓の基部の裏面において補正用ダーツと端部修正ダーツとひもを付する位置を示す斜視図である。
【図１７】本発明の一例を示す袋帯にて作成した二重太鼓の手をお太鼓に挿入した状態を示す斜視図である。
【図１８】本発明の一例を示す袋帯にて作成した二重太鼓の迅速造り帯が完成した状態の平面図である。
【図１９】本発明の一例を示す名古屋帯本体と折線を示す展開図である。
【図２０】本発明の一例を示す名古屋帯にて一重太鼓を折る過程を示す斜視図である。
【図２１】本発明の一例を示す名古屋帯にて解く縫合部を示す平面図である。
【図２２】本発明の一例を示す名古屋帯にて作成した一重太鼓の基部の裏面のダーツとあそびを示す斜視図である。
【図２３】本発明の一例を示す名古屋帯にて作成した一重太鼓の基部の裏面において半折部を折る過程を示す斜視図である。
【図２４】本発明の一例を示す名古屋帯にて作成した一重太鼓の半折部を背面部に縫合した状態を示す斜視図である。
【図２５】本発明の一例を示す袋帯胴部の左右両側に上下非対称の柄のある二重太鼓で作成したの基部の裏面におけるダーツと山折り線を示す斜視図である。
【図２６】本発明の一例を示す袋帯胴部の左右両側に上下非対称の柄のある二重太鼓で作成した基部の裏面において半折部を折る過程を示す斜視図である。
【図２７】本発明の一例を示す袋帯胴部の左右両側に上下非対称の柄のある二重太鼓で作成した基部の裏側で半折部を背面部に縫合した状態を示す斜視図である。
【図２８】本発明の一例を示す袋帯胴部の左右両側に上下非対称の柄のある二重太鼓で作成した迅速造り帯が完成した状態の平面図である。
【図２９】本発明の一例を示す名古屋帯胴部の左右両側に上下非対称の柄のある一重太鼓で作成した基部の裏面におけるダーツと胴部の縫合を一部解いた状態を示す斜視図である。
【図３０】本発明の一例を示す名古屋帯胴部の左右両側に上下非対称の柄のある一重太鼓で作成した基部の裏面におけるダーツと山折り線を示す斜視図である。
【図３１】本発明の一例を示す名古屋帯胴部の左右両側に上下非対称の柄のある一重太鼓で作成した基部の裏面において半折部を折る過程を示す斜視図である。
【図３２】本発明の一例を示す名古屋帯胴部の左右両側に上下非対称の柄のある一重太鼓で作成した基部の裏側で半折部を背面部に縫合した状態を示す斜視図である。
【図３３】本発明の一例を示す名古屋帯胴部の左側のみに上下非対称の柄のある一重太鼓の基部で作成した裏面におけるダーツとたれ部の縫合を一部解いた状態を示す斜視図である。
【図３４】本発明の一例を示す名古屋帯胴部の左側のみに上下非対称の柄のある一重太鼓で作成した基部の裏側で半折部を背面部に縫合した状態を示す斜視図である。
【図３５】本発明の一例を示す名古屋帯胴部の右側のみに上下非対称の柄のあるの胴部の縫合を開いた状態の柄部を示す平面図である。
【図３６】本発明の一例を示す名古屋帯胴部の右側のみに上下非対称の柄のある一重太鼓で作成した基部の裏側で半折部を背面部に縫合した状態を示す斜視図である。
【図３７】本発明の一例を示す名古屋帯胴部の右側のみに上下非対称の柄のある一重太鼓で作成した基部の裏側で半折部を背面部に縫合した状態を示す斜視図である。
【００４３】
１  帯
２  背面部
２ａ  たれ先端部
３  二重太鼓内側部
４ａ  折込立ち上り部
４ｂ  折込立ち上り部
５  表面部
５ａ  名古屋帯の表面部
５ｂ  名古屋帯の表面部裏側
６  背面半折導入部
６ａ  名古屋帯の背面半折導入部
６ｂ  名古屋帯の背面半折導入部裏側
７  半折胴巻き導入部
７ａ  半折胴巻き導入部内側
７ｂ  名古屋帯の半折胴巻き導入部
８  胴巻き部
８ａ  胴巻き部内側
８ｂ  胴部先端ひも
８ｃ  お太鼓背面下部ひも
９  胴巻き部裏側
９ａ  胴巻き部裏側内側
１０  手
１０ａ  手の内側
１１  お太鼓
ａ１  たれ境界部
ａ２  下面の折山線
ａ３  折り返し部
ａ４  立ち上りを造るお太鼓の決め線
ａ５  合わせ折り曲げ部
ａ６  帯山線
ａ８  あそびＧ部に生じる背面構成折目
ａ９  折目
ａ１０  帯の輪を表す折目
ａ１１  背面部帯幅左端に設けたダーツ
ａ１２  背面部帯幅右端に設けたダーツ
ａ１３  胴巻き部の折線
ａ１４  胴巻き部の折線上端に設けた縫合部
ａ１５  手をお太鼓内に折り込む折線
ｄ１  背面部に左右対称に設けたダーツ
ｎ１  背面部２と折込立ち上り部を縫合する縫合部
ｎ３  ダーツを介して半折部と背面部を縫合する縫合部
ｎ４  半折部と背面部を縫合する縫合部
ｎ５  補正用ダーツ
ｎ６  端部修正用ダーツ
ｎ７  胴巻き部と背面部を縫合する縫合部
ｎ８  縫合部
ｎ９  胴部先端ひも縫合部
ｎ１０  お太鼓背面下部ひも縫合部
Ａ  あそびの頂部
Ｅ  胴巻き部の柄部の右端
Ｆ  胴巻き部の柄部の左端
Ｇ  あそび
Ｋ  胴巻き部の柄
Ｍ  胴表
Ｎ  胴裏
Ｓ  二つ折り山部
Ｔ  縫合部
Ｖ  山折り線左端
Ｗ  山折り線右端
Ｑ  山折り線と二つ折り線の交点
【要約】      （修正有）【課題】帯を胴周りに巻いたときに、帯の幅方向の上部に小物が入れ易く、且つ造り帯が迅速に形成できる迅速造り帯を提供する。【解決手段】帯はお太鼓を構成する内側の帯部表面幅方向の中間部位の左右対称位置に形成したダーツを内側に倒した状態で留め、該両ダーツと該ダーツ下方部位の中央部で形成される略三角形状のあそび部分の頂部を一方のダーツ側に倒し、該略三角形状を含む面状部が前記両ダーツを覆う状態で留めるとともに、前記頂部を基点として折り返された二つ折りの帯で前記お太鼓の内側幅方向から若干傾斜させた方向に向けて胴巻き部を形成し、該胴巻き部の上部が二つ折り山部で形成され、該二つ折り山部が折り返されて二重に重なる構造である。【選択図】図１８【図１】
0003660671.tif 000002
【図２】
0003660671.tif 000003
【図３】
0003660671.tif 000004
【図４】
0003660671.tif 000005
【図５】
0003660671.tif 000006
【図６】
0003660671.tif 000007
【図７】
0003660671.tif 000008
【図８】
0003660671.tif 000009
【図９】
0003660671.tif 000010
【図１０】
0003660671.tif 000011
【図１１】
0003660671.tif 000012
【図１２】
0003660671.tif 000013
【図１３】
0003660671.tif 000014
【図１４】
0003660671.tif 000015
【図１５】
0003660671.tif 000016
【図１６】
0003660671.tif 000017
【図１７】
0003660671.tif 000018
【図１８】
0003660671.tif 000019
【図１９】
0003660671.tif 000020
【図２０】
0003660671.tif 000021
【図２１】
0003660671.tif 000022
【図２２】
0003660671.tif 000023
【図２３】
0003660671.tif 000024
【図２４】
0003660671.tif 000025
【図２５】
0003660671.tif 000026
【図２６】
0003660671.tif 000027
【図２７】
0003660671.tif 000028
【図２８】
0003660671.tif 000029
【図２９】
0003660671.tif 000030
【図３０】
0003660671.tif 000031
【図３１】
0003660671.tif 000032
【図３２】
0003660671.tif 000033
【図３３】
0003660671.tif 000034
【図３４】
0003660671.tif 000035
【図３５】
0003660671.tif 000036
【図３６】
0003660671.tif 000037
【図３７】
0003660671.tif 000038